(57)【要約】【課題】  本が厚い場合や、ページの厚さに差がある場合でも、痕を付けたり、傷めることなく、確実に、且つ安定した状態でページを開いておくことができる書籍のページ保持具を提供する。【解決手段】  前後一対の操作部２と、前後一対の押え部４ａ、４ｂとで形成する。本５の見開きページ５ａを押える前側の押え部４ａを、綴じ部５ｂを跨いで各ページ５ａを押える左右一対の脚片状に形成する。本５の背表紙を跨いで背側５ｃを押える後側の押え部４ｂを、左右一対の脚片状に形成する。前側の押え部４ａの左右方向の形成間隔Ｄ１を、後側の押え部４ｂの左右方向の形成間隔Ｄ２より大きく選定すると共に、後側の押え部４ｂを前側の押え部４ａの形成間隔Ｄ１内に位置決めして形成する。【選択図】      図１
2005169702.tif 000002
【特許請求の範囲】
【請求項１】
捻りコイルバネの弾発力に抗して互いに接近する方向に手指で操作される前後一対の操作部と、この操作部が操作されると捻りコイルバネが巻装されている枢着軸を中心に外側に回動して押し開かれる前後一対の押え部とで形成されている書籍のページ保持具であって、本の見開きページを押える前側の押え部が綴じ部を跨いで各ページを押える左右一対の脚片状に形成され、また本の背表紙を跨いで背側を押える後側の押え部が左右一対の脚片状に形成され、上記前側の押え部の左右方向の形成間隔が、後側の押え部の左右方向の形成間隔より大きく選定されると共に、後側の押え部が前側の押え部の形成間隔内に位置決めされて形成されていることを特徴とする書籍のページ保持具。
【請求項２】
請求項１記載の書籍のページ保持具であって、後側の押え部の下端が、横バーで連結されていることを特徴とする書籍のページ保持具。
【請求項３】
請求項１又は２記載の書籍のページ保持具であって、線条部材を介して吸盤を備え、この吸盤で懸吊自在に形成されていることを特徴とする書籍のページ保持具。
【請求項４】
請求項１乃至３の何れかに記載の書籍のページ保持具であって、前側の押え部の左右方向の内側に、前側の押え部から一定の間隔をあけて前側の押え部より短い補助押え片を備えて形成されていることを特徴とする書籍のページ保持具。
【発明の詳細な説明】
【技術分野】
【０００１】
本発明は書籍のページ保持具に関し、更に詳しくは本やサッシ等の書籍を開いておくために使用する書籍のページ保持具に関するものである。
【背景技術】
【０００２】
従来この種の保持具としては、例えば捻りコイルバネの弾発力に抗して互いに接近する方向に手指で操作される前後一対の操作部と、この操作部が操作されると捻りコイルバネが巻装されている枢着軸を中心に外側に回動して押し開かれる前後一対の押え部とで形成されているものがある（例えば特許文献１、同２参照）。
【０００３】
しかし従来品は、前後一対の押え部で開いた本のページと、裏側の、同じ位置を挟圧する仕組みであった。従ってこれによると、例えばページ数が多い厚い本の場合や、開いたページの一方側と他方側とで押える厚さが大きく異なるとき、安定した状態で確実にページを開いておくことができにくい、という問題点があった。
而してこの種の問題を解消するため、例えば捻りコイルバネのバネ力を大きくすると、押え痕をページや本の背側に付け易くなり、本を傷め易い、という新たな問題が発生することになる。
【特許文献１】特開平９−２７２２８２号公報
【特許文献２】実開平６−４２２１１号公報
【発明の開示】
【発明が解決しようとする課題】
【０００４】
本発明は、このような従来技術の問題点に鑑み、提案されたものである。
従って本発明の解決しようとする技術的課題は、本が厚い場合や、押えるページの厚さに差がある場合でも、ページに痕を付けたり、傷めることなく、確実に、且つ安定した状態でページを開いておくことができるよう形成した書籍のページ保持具を提供することにある。
【課題を解決するための手段】
【０００５】
本発明は、上記の課題を解決するため、次のような技術的手段を採る。
即ち本発明は、図１等に示されるように、捻りコイルバネ１の弾発力に抗して互いに接近する方向に手指で操作される前後一対の操作部２と、この操作部２が操作されると捻りコイルバネ１が巻装されている枢着軸３を中心に外側に回動して押し開かれる前後一対の押え部４ａ、４ｂとで形成されている書籍のページ保持具であって、本５の見開きページ５ａを押える前側の押え部４ａが綴じ部５ｂを跨いで各ページ５ａを押える左右一対の脚片状に形成され、また本５の背表紙を跨いで背側５ｃを押える後側の押え部４ｂが左右一対の脚片状に形成され、上記前側の押え部４ａの左右方向の形成間隔Ｄ１が、後側の押え部４ｂの左右方向の形成間隔Ｄ２より大きく選定されると共に、後側の押え部４ｂが前側の押え部４ａの形成間隔Ｄ１内に位置決めされて形成されていることを特徴とする（請求項１）。
【０００６】
ここで、後側の押え部４ｂが前側の押え部４ａの形成間隔Ｄ１内に位置決めされ、とは後側の押え部４ｂが前側の押え部４ａの形成間隔Ｄ１内に納められ、捻りコイルバネ１の復元力で後側の押え部４ｂは、前側の押え部４ａと交差するよう形成されている、ということを意味する。この場合、本発明は、図１Ｂに示されるように、前側の押え部４ａと後側の押え部４ｂとが線対称に形成されているのが好ましい。なぜならこれによると、前側の押え部４ａと後側の押え部４ｂとがバランス良く交差し、左右安定した状態で本を開かせることができるからである。
【０００７】
また請求項１記載の本発明の場合は、後側の押え部４ｂの下端が、横バー７で連結されているのが好ましい（請求項２）。
なぜならこれによると、後側の押え部４ｂの強度が補強され、また横バー７が本５の背表紙に当接し、捻りコイルバネ１の復元力を背表紙に直接加えることができ、本５を一層確実に開かせることができるからである。
【０００８】
また請求項１又は２記載の本発明は、線条部材８を介して吸盤９を備え、この吸盤９で懸吊自在に形成されているのが好ましい（請求項３）。
なぜならこれによると、例えば机周りのパソコンの側面等に本体部を吸盤９で吊るして置くことができ、紛失を防止できるからである。
線条部材８としては、例えば糸、紐、ゴム紐、コイルスプリング状に巻回されて伸縮自在に形成されているワイヤ入りの樹脂紐等がある。線条部材８が、ゴム紐や伸縮自在の樹脂紐の場合は、吸着箇所に、コンパクトに且つ体裁良く本体部を配置できる。
【０００９】
また請求項１乃至３の何れかに記載の本発明は、前側の押え部４ａの左右方向の内側に、前側の押え部４ａから一定の間隔をあけて前側の押え部４ａより短い補助押え片１０を備えて形成されているのが好ましい（請求項４）。
なぜならこれによると、補助押え片１０と前側の押え部４ａとの間に、前後のページ５ａを抜き差しして仮押えでき、使い勝手が良くなるからである。
【発明の効果】
【００１０】
本発明は、このように本の見開きページを押える前側の押え部を、綴じ部を跨いで各ページを押える左右一対の脚片状に形成し、また本の背表紙を跨いで背側を押える後側の押え部を、左右一対の脚片状に形成し、上記前側の押え部の左右方向の形成間隔を、後側の押え部の左右方向の形成間隔より大きく選定すると共に、後側の押え部を前側の押え部の形成間隔内に位置決めして形成しているものである。
従って本発明を使用すれば、本が厚い場合や、押えるページの厚さに差があるときでも、ページに痕を付けたり傷めることなく、確実に、且つ安定した状態で本や冊子のページを開いておくことができる。
【発明を実施するための最良の形態】
【００１１】
以下、本発明を実施するための最良の形態を説明する。
図１等において、１は捻りコイルバネであり、２はこの捻りコイルバネ１の弾発力に抗して互いに接近する方向に手指で操作される前後一対の操作部である。３は、捻りコイルバネ１が巻装されている枢着軸である。また４ａ、４ｂは、操作部２が操作されると枢着軸３を中心に外側に回動して押し開かれる前後一対の押え部である。
【００１２】
本５の見開きページ５ａを押える前側の押え部４ａは、綴じ部５ｂを跨いで各ページ５ａを押える左右一対の脚片状に形成されている。また本５の背表紙を跨いで背側５ｃを押える後側の押え部４ｂも同様、左右一対の脚片状に形成されている。この実施形態の場合、前側の押え部４ａと後側の押え部４ｂとは、線対称に形成されている。なお前側の押え部４ａと後側の押え部４ｂは、ページ５ａと背側５ｃに接触する内面に、滑り止め用の横溝６が複数形成されている。
【００１３】
前側の押え部４ａの左右方向の形成間隔Ｄ１（図１Ｂ参照）は、後側の押え部４ｂの左右方向の形成間隔Ｄ２より大きく選定されている。また後側の押え部４ｂは、前側の押え部４ａの形成間隔Ｄ１内に位置決めされて形成されている。従って本発明品は、常時は、図３に示されるように、捻りコイルバネ１の復元力で後側の押え部４ｂは、前側の押え部４ａと交差するよう形成されている。
【００１４】
以上の処において、本発明は、図４、図５等に示されるように、後側の押え部４ｂの下端が、横バー７で連結されているのでも良い。横バー７は、この実施形態では本５の背側５ｃに接触する内面に、滑り止め用の横溝６が複数形成されている。この本発明の場合は、横バー７が本５の背表紙に当たるため、捻りコイルバネ１の復元力が背表紙に直接加わることになる。従ってこれによると、本５を一層確実に押し開くことができる。
【００１５】
而して本発明の場合、前側の押え部４ａと後側の押え部４ｂの形状は、任意である。具体的には、押圧時の側面形状が、例えば長円形状（図６参照）、三角形状（図７、図８参照）、逆三角形状（図９、図１０参照）、円形状（図１１〜図１３参照）等に形成されているのでも良い。
【００１６】
また本発明は、図１１〜図１３に示されるように、線条部材８を介して吸盤９を備え、この吸盤９で懸吊自在に形成されているのでも良い。線条部材８としては、例えば糸、紐、ゴム紐、或いはコイルスプリング状に巻回されたワイヤ入りの伸縮自在の樹脂紐等がある。
【００１７】
また本発明は、図１１、図１２に示されるように、前側の押え部４ａの左右方向の内側に、前側の押え部４ａから一定の間隔をあけて前側の押え部４ａより短い補助押え片１０を備えて形成されているのでも良い。この実施形態では、補助押え片１０が前側の押え部４ａの隣りに、１個ずつ形成されている。この本発明の場合は、図示されるように、一番上のページ５ａを、前側の押え部４ａと補助押え片１０との間に通して仮押えできる。従ってこれによると、例えばパソコン等に入力する際、前後のページ５ａを見返し易くなり、使い勝手が良くなるものである。
【図面の簡単な説明】
【００１８】
【図１】本発明のページ保持具の好適な一実施形態を示し、Ａは使用時の斜視図、Ｂは正面図である。
【図２】同上保持具の使用時の側面図である。
【図３】同上保持具の作用を示す側面図である。
【図４】同上保持具の他の実施形態を示す使用時の斜視図である。
【図５】図４の実施形態に係る本発明品の正面図である。
【図６】図４の実施形態に係る本発明品を示し、Ａは使用時の側面図、Ｂは作用を示す側面図である。
【図７】同上保持具の他の実施形態を示す使用時の斜視図である。
【図８】図７の実施形態に係る本発明品を示し、Ａは使用時の側面図、Ｂは作用を示す側面図である。
【図９】同上保持具の他の実施形態を示す使用時の斜視図である。
【図１０】図９の実施形態に係る本発明品を示し、Ａは使用時の側面図、Ｂは作用を示す側面図である。
【図１１】同上保持具の他の実施形態を示す使用時の斜視図である。
【図１２】図１１の実施形態に係る本発明品の正面図である。
【図１３】図１１の実施形態に係る本発明品を示し、Ａは使用時の側面図、Ｂは作用を示す側面図である。
【符号の説明】
【００１９】
１    捻りコイルバネ
２    前後一対の操作部
３    枢着軸
４ａ  前側の押え部
４ｂ  後側の押え部
５    本
５ａ  ページ
５ｂ  綴じ部
５ｃ  背側
Ｄ１  前側の押え部の左右方向の形成間隔
Ｄ２  後側の押え部の左右方向の形成間隔
【図１】
2005169702.tif 000003
【図２】
2005169702.tif 000004
【図３】
2005169702.tif 000005
【図４】
2005169702.tif 000006
【図５】
2005169702.tif 000007
【図６】
2005169702.tif 000008
【図７】
2005169702.tif 000009
【図８】
2005169702.tif 000010
【図９】
2005169702.tif 000011
【図１０】
2005169702.tif 000012
【図１１】
2005169702.tif 000013
【図１２】
2005169702.tif 000014
【図１３】
2005169702.tif 000015